(57)【要約】【課題】本発明は、道路の近傍に設置される案内表示であって素早く設置及び撤去が可能なように軽量であり、しかも遠くからでも照明により夜間でも確認できる案内表示装置を提供することにある。【解決手段】道路の近傍に設置され運転者に報知する案内表示３１を備えた案内表示装置１０であって、案内表示３１を光源部２１によって点灯表示する案内表示部と、１ｍｍから２ｍｍの範囲の厚さ板材で案内表示部の周囲を被い箱状に形成した筐体部１１と、光源部２１を点灯する電源として使用され、案内表示部以外の箇所に着脱可能に付設され防水加工を施した蓄電池５０と、を備えたことを特徴とする。【選択図】図２
2017203330.tif 000002
【特許請求の範囲】
【請求項１】
道路の近傍に設置され運転者に報知する案内表示を備えた案内表示装置であって、
前記案内表示を光源部によって点灯表示する案内表示部と、
１ｍｍから２ｍｍの範囲の厚さで前記案内表示部の周囲を被い箱状に形成した筐体部と、
前記光源部を点灯する電源として使用され、前記案内表示部以外の箇所に着脱可能に付設された蓄電池と、を備えたことを特徴とする案内表示装置。
【請求項２】
前記筐体部はアルミニュウム材としたことを特徴とする請求項１記載の案内表示装置。
【請求項３】
前記案内表示装置の背面に前記蓄電池の状態を監視する樹脂製のレンズを伴ったＬＥＤ表示部を設けたことを特徴とする請求項１記載の案内表示装置。
【請求項４】
印刷された表示面を備えた前記案内表示を前面に設け、前記案内表示装置の内部の側面に前記光源部を設け、前記案内表示装置の内部に空間を設けたことを特徴とする請求項１記載の案内表示装置。
【請求項５】
樹脂製のレンズを伴った複数のＬＥＤ表示器を運転者に認識できる文字に配置して前記案内表示を形成したことを特徴とする請求項１記載の案内表示装置。
【請求項６】
前記案内表示装置の前面の８割から９割の面積を前記案内表示部に使用したことを特徴とする請求項１記載の案内表示装置。
【発明の詳細な説明】
【技術分野】
【０００１】
本発明は、道路等の近傍に設置し、運転者に対して照明を利用して案内表示を行う案内表示装置に関する。
【背景技術】
【０００２】
従来から高速道路等の交通量が多く高速で車両が移動している場所では、道路や付帯設備等の補修等を行う場合には工事中や車線規制等の案内を予め前方に表示して運転者に案内を行う案内表示装置がある。これら案内表示装置では昼夜を問わず工事等が行われるため夜間に遠くからでも視認できる装置が必要である。
【０００３】
例えば、特許文献１ではソーラーパネルと、前記ソーラーパネルにより発電された電力を蓄積し、前記センサ、前記制御部、前記無線部、前記標示機を動作させるための電力を供給するバッテリと、前記バッテリ、前記速度センサ、前記制御部、前記無線部、前記標示機を載置した、移動設置可能な脚部とを備えた案内表示装置がある。
このように、バッテリを備えて電力を供給して電光による標識を使用することによって夜間でも運転者に案内表示を視認させることができる装置が提案されてきている。
【先行技術文献】
【特許文献】
【０００４】
【特許文献１】特開２０１３−９２８６０号公報
【発明の開示】
【発明が解決しようとする課題】
【０００５】
しかしながら、これら装置は、運転する運転者に対して遠くからでも視認できる装置ではなくてはならないため、夜間に遠くからでも視認できるように表示を大きくしながら照明を付設した装置ではなくてはならない。
また、これら装置を運搬車から運搬台から下ろし設置箇所に設置されるが、高速道路等の箇所では、通行する車両と併走して設置作業が行われるため危険を伴い、素早く設置及び撤去を行う必要がある。
そのため、これら装置は設置や撤去をスムーズに行うために、重たいものであっては設置及び撤去を素早く行うことが困難である。
また、これら装置が設置される箇所は、高速道路の必ずしも電源が取れる箇所とは限らない。また電源が取れたとしても配線を敷設しなければならず素早く作業を行うことは困難である。また、鉛蓄電池や太陽電池を搭載して照明を駆動する装置が設けられているが付設する装置が多くなればなるほど重量が重くなり、装置の設置及び撤去を素早く行うことは困難となる。
【０００６】
本発明は、これら問題を解決するため、道路の近傍に設置される案内表示であって素早く設置及び撤去が可能なように軽量であり、しかも遠くからでも照明により夜間でも確認できる案内表示装置を提供することにある。
【課題を解決するための手段】
【０００７】
道路の近傍に設置され運転者に報知する案内表示を備えた案内表示装置であって、前記案内表示を光源部によって点灯表示する案内表示部と、１ｍｍから２ｍｍの範囲の厚さで前記案内表示部の周囲を被い箱状に形成した筐体部と、前記光源部を点灯する電源として使用され、前記案内表示部以外の箇所に着脱可能に付設され蓄電池と、を備えたことを特徴とする。
【発明の効果】
【０００８】
以上の特徴によって案内表示装置は軽量に形成されており、また案内表示を光源部によって点灯表示することによって夜間でも案内表示が見やすいものとなる。
【図面の簡単な説明】
【０００９】
【図１】実施形態の案内表示装置を道路近傍に設置した例を示す概要図である。
【図２】実施形態の案内表示装置を正面側から見た斜視図である。
【図３】実施形態の案内表示装置を上部の背面から見た斜視図である。
【図４】実施形態の案内表示装置を下部の背面から見た斜視図である。
【図５】実施形態の案内表示装置の内部を表す概要図である。
【図６】実施形態の案内表示装置の内部を表す概要図である。
【図７】実施形態の案内表示装置の蓄電池の正面、左側面、平面から見た斜視図である。
【図８】実施形態の案内表示装置に付設された蓄電池を左側面から見た左側面図である。
【図９】（Ａ）実施形態の案内表示装置に付設された蓄電池の正面図である。（Ｂ）実施形態の案内表示装置に付設された蓄電池の右側面図である。
【図１０】（Ｃ）実施形態の案内表示装置に付設された蓄電池の背面図である。（Ｄ）実施形態の案内表示装置に付設された蓄電池の底面図である。
【図１１】実施形態の案内表示装置の案内表示の一例を示す概要図である。
【図１２】他の実施形態の案内表示装置を正面側から見た斜視図である。
【図１３】他の実施形態の案内表示装置及び設置台を正面側から見た斜視図である。
【図１４】他の実施形態の案内表示装置及び設置台を背面から見た斜視図である
【発明を実施するための形態】
【００１０】
本発明にかかる案内表示装置の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。
【００１１】
図１乃至図１１を参照して、例えば高速道路に設置した状態の案内表示装置１０を説明する。図１は、実施形態の案内表示装置１０を道路近傍に設置した例を示す概要図である。図２は、実施形態の案内表示装置１０を正面側から見た斜視図である。図３は、実施形態の案内表示装置１０を上部の背面から見た斜視図である。図４は、実施形態の案内表示装置１０を下部の背面から見た斜視図である。図５は、実施形態の案内表示装置１０の内部を表す概要図である。図６は、実施形態の案内表示装置１０の内部を表す概要図である。図７は、実施形態の案内表示装置１０の蓄電池５０の正面、左側面、平面から見た斜視図である。図８は、実施形態の案内表示装置１０に付設された蓄電池５０を左側面から見た左側面図である。図９（Ａ）は、実施形態の案内表示装置１０に付設された蓄電池５０の正面図である。図９（Ｂ）は、実施形態の案内表示装置１０に付設された蓄電池５０の右側面図である。図１０（Ｃ）は、実施形態の案内表示装置１０に付設された蓄電池５０の背面図である。図１０（Ｄ）は、実施形態の案内表示装置１０に付設された蓄電池５０の底面図である。図１１は、実施形態の案内表示装置１０の案内表示の一例を示す概要図である。
【００１２】
図１は、車両Ｄが通行する高速道路の道路Ｒの路肩ＲＫから少し離れた遮音壁６０の下部の高欄に、取付金具６１を使用して案内表示装置１０を設置した様子が示されている。案内表示装置１０は、案内表示装置１０の背面にある図示しない差し込み溝１４を使用して取り付けた支柱１３２を、専用の取付金具によりコンクリート製の高欄、遮音壁６０の下部の高欄、角パイプの高欄、ガードレール又はガードワイヤー等に取り付けられる。また、案内表示装置１０は、背面の中間部分に蓄電池５０が付設されている。
図２乃至図６に示すように案内表示装置１０は、厚さが１ｍｍから２ｍｍのアルミニュウム材の板を固定ボルト７で組み立てた箱状の筐体１１を設けている。厚さは１ｍｍから２ｍｍの範囲がよいが、最も良いのは１．２ｍｍの厚さである。案内表示装置１０の全体の高さ１３１５ｍｍ、厚さ５０〜６０ｍｍであり、全体の幅は４５０〜４６０ｍｍとなっている。表示面の大きさは、幅が３８５ｍｍで３枚構成となっており、高さは１９０ｍｍ、４１０ｍｍ、４１５ｍｍと大型の表示面積を持ちながら薄型で軽量となっている。案内表示装置１０の前面の約８割から９割近くが表示面を表している。
【００１３】
案内表示装置１０の上部には運転者へ注意を促すように視線誘導標２０が設けられている。視線誘導標２０は、発光部に超高輝度の砲弾型のＤＣ１２Ｖ駆動のＬＥＤ２１が使用されており、前面に透明な樹脂で形成した保護カバー３３が取り付けられている。
案内表示装置１０の背面であって視線誘導標２０の後ろ側の位置に、点灯確認用ＬＥＤ２２が設けられている。これは、案内表示板３１や視線誘導標２０の点灯状態が作業者側となる案内表示装置１０の背面側からは点灯しているかどうかの確認ができないために点灯用のＬＥＤが設けられている。この点灯確認用ＬＥＤ２２は、内部に砲弾型の超高輝度のＬＥＤが内蔵されており、外部は透明な樹脂で形成したレンズ面を備えている。このレンズ面は遠方からでも確認できるように、ＬＥＤの光を拡散させず直進する光に集光させている。このような構成とすることにより、遠くからでも作業者は確りと点灯状態を確認できるようになっている。この点灯状態は、蓄電池５０の容量の状態や蓄電池の防水コネクタ５３が接続されているか否かを作業者が遠くからでも確認することができる。
【００１４】
案内表示装置１０は厚さが１ｍｍから２ｍｍのアルミニュウム材で形成した横桟１３及び縦桟１５が設けられており、横桟１３及び縦桟１５は凹状を形成している。横桟１３及び縦桟１５で形成した凹状の部分には、案内表示部としての案内表示板３１ａ、３１ｂ、３１ｃが案内表示装置１０の左側面から挿入できるように構成されている。そのため、案内表示装置１０の左側面は、厚さが１ｍｍから２ｍｍのアルミニュウム材で形成した断面コ字状の差し込み蓋１７が設けられ、差し込み蓋１７は案内表示装置１０の背面に蝶ボルト５で脱着可能なように螺合されている。このように、差し込み蓋１７を案内表示装置１０の背面に蝶ボルト５で脱着可能にすることで、案内表示板３１ａ、３１ｂ、３１ｃの交換が容易にできると共に案内表示板３１ａ、３１ｂ、３１ｃが風圧や振動等で外れることを防止することができる。
【００１５】
次に、案内表示板３１ａ、３１ｂ、３１ｃは、厚さ２ｍｍのアクリル材で形成されており、その表示面は印刷が可能なシートを貼り付けて表示を行っている。案内表示板３１ａ、３１ｂ、３１ｃは、図１１に示すように表示面に車幅減少を表す表示や「矢印」を表す表示及び「１００ｍ先」の情報を表す表示が示されている。
また、筐体１１の内部には、超高輝度の平面型のＤＣ１２Ｖ駆動のＬＥＤ２４が複数配置された棒状のＬＥＤユニット２３が、案内表示装置１０の側面に上下方向に沿って配置されている。
このＬＥＤ２４の発光を拡散するために、案内表示板３１ａ、３１ｂ、３１ｃの背面に案内表示板３１ａ、３１ｂ、３１ｃと密着してアクリル材で形成した案内表示板３１と同じ大きさの乳白色の乳半板３２が設けられている。
また、筐体１１内部は、金属の鏡面若しくは白色塗料等での反射又は拡散材を設けることでＬＥＤ２４の光を、筐体１１内部全体に行き亘らせ案内表示板３１ａ、３１ｂ、３１ｃ全体を高輝度で光らせることが可能となる。
【００１６】
また、案内表示装置１０の背面にはアルミニュウム材で形成した略断面コ字状の差し込み溝１４が幅方向に亘って設けられている。差し込み溝１４は、コ字状の先端が上下に突出していることで、差し込み溝１４の側方からボルト４の頭を挿入して落下しないようになっている。差し込み溝１４は、案内表示板３１ａ、３１ｂ、３１ｃの背面に差し込み溝１４の背面の片が溶接にて固定されており、後述する蓄電池５０又は支柱１３２をボルト４と蝶ナット６又はナットで固定するための溝である。差し込み溝１４の溝にボルトの頭を挿入し、取付金具に設けられた孔等を通してナットで、当該ボルトと締結することで後述する支柱１３２や蓄電池５０を装着することができる。また、差し込み溝１４は、筐体１１を補強する機能を備えており、案内表示装置１０の背面に数カ所取り付けられ、幅方向に亘って設けられ、筐体１１の補強を構成している。特にコ字状の先端が上下に突出していることで筐体１１全体の補強を構成している。
このように、差し込み溝１４に固定金具１１９で取付けた支柱１３２は、取付箇所に応じた取付金具６１を製作することによって、案内表示装置１０は、コンクリート製の高欄、遮音壁６０の下部の高欄、角パイプの高欄、ガードレール又はガードワイヤー等に取り付けられる。このように、案内表示装置１０は様々な箇所へ素早く設置及び撤去することができる。
【００１７】
図４及び図７乃至図１０に示すように蓄電池５０は、上部に案内表示装置１０の背面にボルト４と蝶ナット６で固定するため、上片５４に丸孔５７が、下辺５５に長孔５６が設けられており、蓄電池５０が案内表示装置１０から容易に脱着できるようになっている。
蓄電池５０は、箱状に形成されており、内部は乾電池型の複数のリチュウム電池５１が内蔵されている。複数のリチュウム電池５１は集結して蓄電池５０を形成している。蓄電池５０は、幅７５ｍｍ、高さ２５５ｍｍ、厚み５０ｍｍとコンパクトで薄型にしながら１．３ｋｇと軽量であり、容量が２００Ｗｈと本実施形態の表示であれば３０時間と長時間の点灯が可能となっている。蓄電池５０は、出力電圧がＤＣ９Ｖ乃至ＤＣ１３Ｖの範囲での出力が可能であり、ＬＥＤにおけるＤＣ１２Ｖの電源に適している。
蓄電池５０は、筐体を箱状に形成し防滴が可能なようになっており、また防水コネクタ５３が採用されている。本実施例では配線を図示していないが、防水コネクタ５３は、ＬＥＤユニット２３、視線誘導標２０及び点灯確認用ＬＥＤ２２と図示しない配線と接続されている。蓄電池５０は、点灯確認用ＬＥＤ２２の点灯により蓄電池５０の容量がまだ光源部となるＬＥＤが点灯可能であるかの確認ができる。
【００１８】
本発明にかかる案内表示装置の他の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。尚、上述した実施例と同じ構成については同じ符号を付して記載をする。
【００１９】
図１２乃至図１３を参照して、例えば高速道路に設置する状態の案内表示装置１１０を説明する。図１２は、他の実施形態の案内表示装置１１０を正面側から見た斜視図である。図１３は、他の実施形態の案内表示装置１１０及び設置台１３０を正面側から見た斜視図である。図１４は、他の実施形態の案内表示装置１１０及び設置台１３０を背面から見た斜視図である
【００２０】
図１２乃至図１３に示すように、アルミニュウム材で形成した支柱１３２は、半円状の固定金具１１９を上述した差し込み溝１４に挿入したボルトをナット等で固定する。
差し込み溝１４に固定金具１１９で取付けた支柱１３２は、取付箇所に応じた取付金具６１を製作することによって、案内表示装置１０は、コンクリート製の高欄、遮音壁６０の下部の高欄、角パイプの高欄、ガードレール又はガードワイヤー等に取り付けられる。このように、案内表示装置１０は様々な箇所へ素早く設置及び撤去することができる。
そして、特に、支柱１３２の下方を専用の金具に取り付けてボルト等で固定することで案内表示装置１１０は風圧や振動等によって倒れることはない。
【００２１】
案内表示装置１１０は、厚みが１ｍｍから２ｍｍのアルミニュウム材の板を固定ボルト７で組み立てた箱状の筐体１１１を設けている。厚みは１ｍｍから２ｍｍの範囲がよいが、最も良いのは１．２ｍｍの厚みである。案内表示装置１１０の全体の高さは１１１０ｍｍ、厚みは５８．５ｍｍであり、幅は４４８ｍｍとなって大型の表示面積を持ちながら薄型で軽量となっている。案内表示装置１０の前面の約９割近くが表示面を表している。
【００２２】
案内表示装置１１０の案内表示部は、「工事中」の文字をレンズ付きＬＥＤ１２１によって形成している。光源部を形成するレンズ付きＬＥＤ１２１は、内部に砲弾型の超高輝度の視野角３０度の赤色のＬＥＤが内蔵されており、外部は透明な樹脂で形成したレンズ面を備えている。このレンズ面は遠方からでも確認できるように、ＬＥＤの光を拡散させず直進する光に集光させている。このような構成とすることにより、遠くからでも運転者は案内表示装置１１０の案内表示を確認できるようになっている。また、昼夜を問わず案内表示部を点滅させて運転者に注意喚起を行うことができる。案内表示装置１１０の前面には、透明のポリカーボネイド等の樹脂製の保護カバー１１２が設けられており、飛び石や飛来物から光源部としてのレンズ付きＬＥＤ１２１を保護している。
【００２３】
図１４に示すように、蓄電池５０は、上述したように案内表示装置１１０の背面に図示しないボルトと蝶ナットで固定することができる差し込み溝１４が設けられており、蓄電池５０が案内表示装置１１０から容易に脱着できるようになっている。
【００２４】
尚、本発明では、筐体１１をアルミニュウム材で構成したが、軽量に形成される金属や樹脂等であっても良い。尚、光源部としてＬＥＤを使用したがこれらに限定されることなく有機ＥＬや冷陰極管等の発光するものであってもよい。
また、本発明では、蓄電池５０を案内表示装置１０・１１０の背面に設けたが、案内表示装置１０・１１０の内部に内蔵しても良い。
【００２５】
（技術的特徴）
以下に本実施形態の技術的特徴点の一例を括弧内に示すが、特に限定するものでもなく例示しているものであり、これら特徴から考えられる効果についても記載する。
【００２６】
＜第１の特徴点＞
道路の近傍に設置され運転者に報知する案内表示（例えば、主に案内表示板３１、レンズ付きＬＥＤ１２１）を備えた案内表示装置（例えば、主に案内表示装置１０・１１０）であって、前記案内表示を光源部（例えば、主にＬＥＤ２１、ＬＥＤ）によって点灯表示する案内表示部と、１ｍｍから２ｍｍの範囲の厚さで前記案内表示部の周囲を被い箱状に形成した筐体部（例えば、主に筐体１１・１１１）と、前記光源部を点灯する電源として使用され、前記案内表示部以外の箇所に着脱可能に付設された蓄電池（例えば、主に蓄電部５０）と、を備えたことを特徴とする。
【００２７】
以上の特徴によって、案内表示装置は１ｍｍから２ｍｍの範囲内の厚みによって筐体を形成しているため軽量に形成することができる。また案内表示を光源部によって点灯表示することによって案内表示が見やすいものとなる。
【００２８】
＜第２の特徴点＞
前記筐体部はアルミニュウム材としたことを特徴とする。以上の特徴によって案内表示装置を軽量に製造することができる。
【００２９】
＜第３の特徴点＞
前記案内表示装置の背面に前記蓄電池の状態を監視する樹脂製のレンズを伴ったＬＥＤ表示部（例えば、主に点灯確認用ＬＥＤ２２）を設けたことを特徴とする。
以上の特徴によって、案内表示装置を軽量に形成しながらも、遠くからでも見やすい案内表示装置ができる。
【００３０】
＜第４の特徴点＞
印刷された表示面を備えた前記案内表示（例えば、主に案内表示板３１）を前面に設け、前記案内表示装置の内部の側面に前記光源部を設け、前記案内表示装置の内部に空間を設けたことを特徴とする。
以上の特徴により内部を空洞にすることで案内表示装置を軽量に形成しながらも光源部の光を拡散させて案内表示の前面を均一に発光表示させ、案内表示を見やすくすることができる。
【００３１】
＜第５の特徴点＞
樹脂製のレンズを伴った複数のＬＥＤ表示器（例えば、主にレンズ付きＬＥＤ１２１）を運転者に認識できる文字に配置して前記案内表示を形成したことを特徴とする。
以上の特徴によって、樹脂製のレンズを伴った複数のＬＥＤ表示器は軽量に形成する事ができると共に、直進するＬＥＤの光を遠方からでも運転者は認識することができるため、案内表示を見やすくすることができる。
【００３２】
＜第６の特徴点＞
前記案内表示装置（例えば、主に案内表示装置１０）の前面の８割から９割の面積を前記案内表示部（例えば、主に案内表示板３１）に使用したことを特徴とする。特に案内表示装置は取付部分を除いた面積であり、表から確認できる装置の部分である。
以上の特徴によって、できるだけ大きく案内表示部を形成し、且つ軽量に形成することができる。
【産業上の利用可能性】
【００３３】
特に高速道路に限らず、一般道にも使用することができ、その他に建設現場又は工事現場等の設置や撤去を素早く行うことが必要な場所にも使用が可能である。
【符号の説明】
【００３４】
４…ボルト、５…蝶ボルト、６…蝶ナット、７…固定ボルト、
１０・１１０…案内表示装置、１１・１１１…筐体、２０…視線誘導標、１３…横桟、
１５…縦桟、１４…差し込み溝、１７…差し込み蓋、２１・２４…ＬＥＤ、
２２…点灯確認用ＬＥＤ、２３…ＬＥＤユニット、３１ａ、３１ｂ、３１ｃ…案内表示板、５０…蓄電池、５１…リチュウム電池、５３…防水コネクタ、５４…上片、５５…下辺、５６…長孔、５７…丸孔、６０…遮音壁、６１…取付金具、１２１…レンズ付きＬＥＤ、
１３２…支柱、Ｄ…車両、Ｒ…道路、ＲＫ…路肩。
【図１】
2017203330.tif 000003
【図２】
2017203330.tif 000004
【図３】
2017203330.tif 000005
【図４】
2017203330.tif 000006
【図５】
2017203330.tif 000007
【図６】
2017203330.tif 000008
【図７】
2017203330.tif 000009
【図８】
2017203330.tif 000010
【図９】
2017203330.tif 000011
【図１０】
2017203330.tif 000012
【図１１】
2017203330.tif 000013
【図１２】
2017203330.tif 000014
【図１３】
2017203330.tif 000015
【図１４】
2017203330.tif 000016